(57)【要約】      （修正有）【課題】光ファイバーと光量監視手段との相対位置が変化しても、ストロボの発光量を適切に演算し、適正な本発光制御が可能なカメラシステムを提供すること。【解決手段】閃光撮影の光量決定のために予備発光を被写体に照射する閃光撮影システムにおいて、カメラ本体１と、カメラ本体１に回動可能に支持される発光部２２を有する内蔵ストロボユニット２０と、カメラ本体１に配置され、発光部２２の発光量を測光する測光手段と、一端が発光部２０に設けられ、他端がカメラ本体１に設けられ、発光部で発光した光の一部を測光手段に導く可撓性の導光手段２７と、内蔵ストロボユニット２０の第一の位置及び第二の位置を検知する検知手段１１０と、第一の位置において第一の予備発光を、第二の位置において第二の予備発光を行い、第一の予備発光と第二の発光の光量差に基づき、測光手段の測光結果を補正する発光制御手段と、を有する。【選択図】図１（ａ）
2017083721.tif 000002
【特許請求の範囲】
【請求項１】
閃光撮影の光量決定のために予備発光を被写体に照射する閃光撮影システムにおいて、
カメラ本体（１）と、
前記カメラ本体（１）に回動可能に支持される発光部（２２）を有する内蔵ストロボユニット（２０）と、
前記カメラ本体（１）に配置され、前記発光部（２２）の発光量を測光する測光手段（３１）と、
一端が前記発光部（２０）に設けられ、他端が前記カメラ本体（１）に設けられ、前記発光部で発光した光の一部を前記測光手段（３１）に導く可撓性の導光手段（２７）と、
前記内蔵ストロボユニット（２０）の第一の位置及び第二の位置を検知する検知手段（１１０）と、
前記第一の位置において第一の予備発光を、前記第二の位置において第二の予備発光を行い、前記第一の予備発光と前記第二の発光の光量差に基づき、前記測光手段（３１）の測光結果を補正する発光制御手段（１０１）と、
を有することを特徴とする閃光装置。
【請求項２】
前記内蔵ストロボユニット（２０）の第一の位置は、前記発光部（２２）が前記カメラ本体（１）から露出した位置であり、前記内蔵ストロボユニット（２０）の第二の位置は、前記内蔵ストロボユニット（２０）がストロボ撮影状態の位置であることを特徴とする請求項１に記載の閃光装置。
【請求項３】
前記発光制御手段（１０１）は、前記補正した値の履歴を記憶し、補正値の変化が無くなったと判断したら前記第一の予備発光及び前記第二の予備発光を行わないことを特徴とする請求項１に記載の閃光装置。
【請求項４】
前記発光制御手段（１０１）は、前記補正を行った際の使用環境を記憶し、同一使用環境下であると判断したら前記第一の予備発光及び前記第二の予備発光を行わないことを特徴とする請求項１に記載の閃光装置。
【発明の詳細な説明】
【技術分野】
【０００１】
本発明は、カメラシステムに関し、特に光照射機能を備えたカメラシステムに関する。
【背景技術】
【０００２】
従来よりカメラの閃光撮影において、撮影用の本発光前に予め設定された所定光量の予備発光を被写体に向けて照射し、その反射光量の輝度値より本発光の発光光量を決定して画像を取得する閃光調光システムがある（特許文献１）。
【０００３】
予備発光を基に撮影用本発光が決定される調光システムであるため、予備発光量に変動や差異があると撮影用本発光に影響を及ぼし、閃光撮影画像に露出変動が生じるため、予備発光は決められた所定光量を安定して発光する条件が必要となる。
【０００４】
よって従来は、閃光発光部の光量を光ファイバーによって光量監視手段に導き、閃光発光部の発光量を積分値化して、予備発光時の所定光量と実際に光った発光量を対応付けて制御する手段を用いている。
【先行技術文献】
【特許文献】
【０００５】
【特許文献１】特開２０１３−７７８６号公報
【発明の概要】
【発明が解決しようとする課題】
【０００６】
上述の特許文献１に開示された従来技術では、ストロボ発光部の回転状態によって光ファイバーの屈曲状態が変化してしまい、それによって光の透過率も変化してしまう。そのため、光ファイバーの屈曲状によって生じる光ファイバーの透過率光量の差分を補正し発光制御を行う構成としている。
【０００７】
しかしながら、光ファイバーと光量監視手段との相対位置に関しては一切触れられておらず、前記相対位置がストロボ撮影の度に変化してしまうと発光制御がばらついてしまい、結果撮影画像の露出ばらつきとなってしまう。
【０００８】
光ファイバーの光量監視手段への接続手段としては、光量監視手段に供えられたケースに光ファイバーを接着で固定、またはコネクタで接続する手法もあるが、何れもコストアップとなってしまう。そのため近年では前記ケースに光ファイバーを差し込み固定する手法が多く用いられている。
【０００９】
しかしながら、前記差し込み固定では環境によってファイバーの状態が変化し、光ファイバーと光量監視手段との相対位置が安定せず測光光量が安定しないという問題があった。
【００１０】
そこで、本発明の目的は、光ファイバーと光量監視手段との相対位置が変化しても、ストロボの発光量を適切に演算し、適正な本発光制御が可能なカメラシステムを提供することにある。
【課題を解決するための手段】
【００１１】
上記の目的を達成するために、本発明に係る閃光装置は、
閃光撮影の光量決定のために予備発光を被写体に照射する閃光撮影システムにおいて、
カメラ本体（１）と、
前記カメラ本体（１）に回動可能に支持される発光部（２２）を有する内蔵ストロボユニット（２０）と、
前記カメラ本体（１）に配置され、前記発光部（２２）の発光量を測光する測光手段（３１）と、
一端が前記発光部（２０）に設けられ、他端が前記カメラ本体（１）に設けられ、前記発光部で発光した光の一部を前記測光手段（３１）に導く可撓性の導光手段（２７）と、
前記内蔵ストロボユニット（２０）の第一の位置及び第二の位置を検知する検知手段（１１０）と、
前記第一の位置において第一の予備発光を、前記第二の位置において第二の予備発光を行い、前記第一の予備発光と前記第二の発光の光量差に基づき、前記測光手段（３１）の測光結果を補正する発光制御手段（１０１）と、
を有することを特徴とする。
【発明の効果】
【００１２】
本発明に係る閃光装置によれば、光ファイバーと光量監視手段との相対位置が変化した場合の光量差分を抽出し、その差分を発光制御に補正をかけるようにしたので、光ファイバーと光量監視手段の相対位置が変化しても発光制御のばらつきを防止することが可能なカメラシステムを提供することができる。
【図面の簡単な説明】
【００１３】
【図１（ａ）】本発明の実施形態に係るカメラシステムの構成を示す図である。
【図１（ｂ）】本発明の実施形態に係るカメラシステムの構成を示す図である。
【図１（ｃ）】本発明の実施形態に係るカメラシステムの構成を示す図である。
【図１（ｄ）】本発明の実施形態に係るカメラシステムの構成を示す図である。
【図２】本発明の実施形態に係るカメラシステムの回路構成を示す図である。
【図３】本発明の実施形態に係る発光部の回動の状態を示す図である。
【図４】本発明の実施形態に係るカメラシステムの動作を示すフローチャートである。
【発明を実施するための形態】
【００１４】
以下に、本発明の好ましい実施の形態を、添付の図面に基づいて詳細に説明する。
【００１５】
図１は本発明の実施形態にかかわるストロボ内蔵一眼レフレックスカメラ（撮像装置）の構成を示す図である。
【００１６】
図１（ａ）において、１はカメラ本体であり、その前面には撮像レンズ１４が装着される。２は主ミラーであり、ファインダ観察状態では撮影光路内に斜設され、撮影状態では撮影光路外に退避する。また、主ミラー２はハーフミラーからなりファインダ観察状態のときには、被写体からの光線の約半分を透過させ後述する焦点検出ユニット１１に光線を導く。３はファインダ光学系の一部を構成する撮影レンズ１４の予定結像面に配置されたピント板、４はファインダ光路変更用のペンタプリズムである。５は複数のレンズ群で構成される接眼レンズで、撮影者はこの接眼レンズ５の後方にある不図示の接眼窓からピント板３を観察することで撮影画面を観察することができる。６は測光レンズであり、７はファインダ観察画面内の被写体輝度を測光するための測光センサである。８はフォーカルプレーンシャッター、９は撮像素子である。
【００１７】
１０はサブミラーで、主ミラー２と同様にファインダ観察状態では撮影光路内に斜設され、撮影状態では撮影光路外に退避する。サブミラー１０は、斜設された主ミラー２を透過した光線を下方に折り曲げて後述の焦点検出ユニットに光線を導く。１１は焦点検出センサ１１ａを備えた焦点検出ユニットで、所謂位相差検出方式によって撮像レンズ１４の焦点調節状態を検出し、その検出結果は撮像レンズ１４の焦点調節機構を制御する後述するカメラマイコンに送られる。１２は後述するカメラマイコン及びストロボ光の光量を測定する受光素子を搭載した回路基板である。前記受光素子は後述する内蔵ストロボユニットを極力小型化するためにカメラ本体１内に配置している。１３はカメラ本体１と撮像レンズ１４との通信インターフェイスからなるレンズマウント接点群である。
【００１８】
次に、内蔵ストロボユニットの構成について説明する。
【００１９】
２０は内蔵ストロボユニットで、ストロボ本体２１と発光部２２とで構成される。内蔵ストロボユニット２０は回転軸２３を中心に回動可能であり、図はカメラ本体１に格納された状態を示す。１１０は内蔵ストロボユニット２０の回動位置を検知するＳＴＵＰ検知ＳＷである。発光部２２はキセノン管２４、反射傘２５、フレネルレンズ２６とで構成されている。フレネルレンズ２６には、キセノン管２４から発光した光の一部を光ファイバー２７に導くライトガイド２６ａが一体に設けられている。２７は可撓性を有する光ファーバーであり、一端をライトガイド２６ａに、他端を受光素子ユニット３０に取り付けられている。光ファイバー２７はキセノン管２４の発光量をモニターするために、キセノン管２４からの発光した光の一部を受光素子３１に導く。これにより後述説明するキセノン管２４の予備発光及び本発光の光量モニターをすることが可能となる。
【００２０】
図１（ｂ）は前記受光素子ユニット３０の内部構造を説明した図である。
【００２１】
３０ａは前記光ファーバー２７の一端を固定するための受光素子ホルダーである。受光素子ホルダー３０ａは光ファイバー３７の位置決めとなる当接面３０ｂと光ファイバー７からの光を受光素子３１へ導くための反射面３０ｃの形状を有し、不示図のバネで回路基板１２に固定されている。また受光素子３１の受光面前面には赤外光をカットするためのＩＲカットガラスが搭載されている。前述の光ファイバー２７は、ライトガイド２６ａへはキセノン管２４からの光をバラツキなく確実に拾うために接着剤によって固定されている。一方、他端は回路基板１２がカメラ本体１に取り付けられた後、前記受光素子ホルダー３０ａに差し込み固定される。但し、組立の作業性及びカメラ分解時の作業性を鑑み、接着剤による固定ではなく単に受光素子ホルダー３０ａに差し込むだけで留めている。
【００２２】
図１（ｃ）は内蔵ストロボユニット２０がアップした状態、すなわちストロボ撮影状態を示す図で、図１（ｄ）は内蔵ストロボユニット２０がアップ状態での光ファイバー７と受光素子ホルダー３０ａの位置関係を示した図である。
【００２３】
図１（ｃ）及び図１（ｄ）において、内蔵ストロボユニット２０は後述するＳＴＵＰＳＷがＯＮになると回転軸２３を中心に回動し、所定の位置でストップしストロボ撮影状態となる。この時光ファイバー７は可撓性を有しているため図示の如く内蔵ストロボユニット２０に追従変形する。尚、ストロボ発光制御性としては、光ファイバー７と受光素子３１の相対位置は内蔵ストロボユニット２０のアップの度に変化しないことが望ましい。しかしながら、光ファイバー７は可撓性があるものの、内蔵ストロボユニット２０が格納状態では図１（ａ）の如く折り曲げられた状態であるため、少なからず折癖はついてしまう。また、カメラの保管・使用環境下によって折癖の程度は変化してしまうため、内蔵ストロボユニット２０のアップの度での光ファイバー７と受光素子３１の相対位置変化を押さえるのは困難である。そのため、受光素子ホルダー３０ａの当接面３０ｂと光ファーバー７の端面の距離３０ｅは内蔵ストロボユニット２０のアップの度に変化してしまい一定とはならない。
【００２４】
次に、図２を用いて、カメラ本体１の回路構成について説明する。なお、図１と同じ部分には同一の符号を付し、その説明は省略する。
【００２５】
１０１はカメラマイコンであり、焦点検出回路１０５、測光回路１０６、シャッタ制御回路１０７、モータ制御回路１０８が接続されている。
【００２６】
カメラマイコン１０１は、撮影レンズ１４内に配置されたレンズマイコン１１２とはレンズマウント接点群１３を介して信号伝達を行う。
【００２７】
焦点検出回路１０５は、カメラマイコン１０１からの信号に従って焦点検出センサ２９の蓄積制御と読み出し制御を行い、それぞれの画素情報をカメラマイコン１０１に出力する。カメラマイコン１０１はこの情報をＡ／Ｄ変換し、位相差検出法による焦点調節状態の検出を行う。なお、焦点調節状態の検出方法は、位相差検出法に限るものでは無く、公知の方法を用いればよいことは言うまでもない。そして、カメラマイコン１０１は、レンズマイコン１１２と信号のやりとりを行うことによって、撮影レンズ１４の焦点調節制御を行う。
【００２８】
測光回路１０６は、被写体に向けてストロボ光を予備発光していない定常状態と予備発光している状態と双方の状態で輝度信号を出力する。カメラマイコン１０１はこの輝度信号をＡ／Ｄ変換し、撮影の露出調節のための絞り値、シャッタ速度、ＩＳＯ感度の演算と、露光時のストロボ発光量の演算とを行う。
【００２９】
シャッタ制御回路１０７は、カメラマイコン１０１からの信号に従ってフォーカルプレーンシャッタ８を構成するシャッタ先幕駆動マグネットＭＧ−１およびシャッタ後幕駆動マグネットＭＧ−２の通電制御を行う。これにより、先幕および後幕が走行し、露光動作が行われる。
【００３０】
モータ制御回路１０８は、カメラマイコン１０１からの信号に従ってモータＭを制御することにより、主ミラー２のアップダウンおよびシャッタチャージなどを行う。ＳＷ１は、不図示のレリーズボタンの第１ストローク（半押し）操作でオンし、測光、ＡＦ（自動焦点調節）を開始させるスイッチである。ＳＷ２は、レリーズボタンの第２ストローク（全押し）操作でオンし、シャッタ走行、すなわち露光動作を開始させるスイッチである。ＳＴＵＰＳＷは内蔵ストロボユニット２０を前記ストロボ撮影状態の位置に移動するためのスイッチである。ＳＴＵＰ検知ＳＷ１１０は２ポジション検知可能な２段ＳＷからなり、内蔵ストロボユニット２０が後述説明するＳＴＵＰ検知ＳＷオン位置及びＳＴアップ位置を検知するスイッチである。前記のスイッチＳＷ１、ＳＷ２、ＳＴＵＰＳＷ、ＳＴＵＰ検知ＳＷ１１０、及びその他不図示の各操作部材の状態信号は、カメラマイコン１０１が読み取る。
【００３１】
次に、撮影レンズ１４内の回路構成について説明する。
【００３２】
カメラ本体１と撮影レンズ１４とは、上述したようにレンズマウント接点群１３を介して相互に電気的に接続される。このレンズマウント接点群１３には、撮影レンズ１４内のフォーカス駆動モータ１６および絞り駆動モータ１７の電源用接点である接点Ｌ０、レンズマイコン１１２の電源用接点Ｌ１、シリアルデータ通信を行うためのクロック用接点Ｌ２を含む。さらには、カメラ本体１から撮影レンズ１４へのデータ送信用接点Ｌ３、撮影レンズ１４からカメラ本体１へのデータ送信用接点Ｌ４、モータ用電源に対するモータ用グランド接点Ｌ５、レンズマイコン１１２用電源に対するグランド接点Ｌ６を含む。
【００３３】
レンズマイコン１１２は、これらのレンズマウント接点群１３を介してカメラマイコン１０１と接続され、カメラマイコン１０１からの信号に応じてフォーカス駆動モータ１６および絞り駆動モータ１７を動作させ、撮影レンズ１４の焦点調節と絞り１５の制御を行う。１８は距離エンコーダであり、焦点調節されて合焦状態となった不図示のフォーカスレンズの位置情報を読み取ってレンズマイコン１１２に入力し、フォーカスレンズの位置に対応する距離情報に変換され、カメラマイコン１０１に伝達される。
【００３４】
５０は光検出器であり、５１はパルス板であり、レンズマイコン１１２がこれらを用いてパルス数をカウントすることによりフォーカスレンズの駆動情報を得る。１１４は電源電池であり、１１３は電源回路である。電源回路１１３は、カメラマイコン１０１によって制御され、電源電池１１４の電源を複数の電圧の電源に変換して出力する。
【００３５】
次に、ストロボ回路の構成について説明する。
【００３６】
２０２は昇圧回路であり、電源電池１１４の電圧を数１００Ｖに昇圧する。２０３は発光エネルギーを蓄積するメインコンデンサである。２０４，２０５は抵抗であり、メインコンデンサ２０３の電圧を所定比に分圧する。２０６は発光電流を制限するためのコイル、２０７は発光停止時に発生する逆起電圧を吸収するためのダイオードである。２１１はトリガ発生回路、２１２はＩＧＢＴなどの発光制御回路である。２３２はストロボ発光時の発光量制御用のコンパレータである。２３６は受光素子３１に流れる光電流を対数圧縮するとともにキセノン管２４の発光量を圧縮積分するための積分測光回路である。
【００３７】
次に、ストロボ回路に接続しているカメラマイコン１０１の各端子について説明する。ＣＮＴは昇圧回路２０２の充電を制御する制御出力用の端子、ＡＤ１は充電電圧を読み込むためのＡ／Ｄ変換入力用の端子、Ｘはシャッタの全開にともなってＯＮするＳＷＸに接続している。カメラマイコン１０１は、ストロボ露光時にＳＷＸがＯＮするタイミングで本発光を実行するように制御する。ＩＮＴは積分測光回路２３６の積分制御出力用の端子、ＡＤ０は積分測光回路２３６から発光量を示す積分電圧を読み込むためのＡ／Ｄ変換入力用の端子、ＤＡ０はコンパレータ２３２のコンパレート電圧を出力するためのＤ／Ａ出力用の端子である。ＴＲＩＧは発光トリガ信号の出力用の端子である。
【００３８】
図３は前記ＳＴＵＰ検知ＳＷ１１０のオンタイミングと内蔵ストロボユニット２０の位置関係を示した図である。
【００３９】
ＳＴＵＰＳＷがオンされると、内蔵ストロボユニット２０は回転軸２３を中心として回動を始める。内蔵ストロボユニット２０の発光部２２がカメラ本体１に隠れた状態（図示ＳＴダウン位置）から露出した位置（図示ＳＴＵＰ検知ＳＷオン位置）に移動することでＳＴＵＰ検知ＳＷ１１０がオンし、後述説明する予備発光（ＣＡＬ発光１）がなされる。その後内蔵ストロボユニット２０は移動を続け所定位置で停止する（図示ＳＴアップ位置）とともに再びＳＴＵＰ検知ＳＷ１１０がオンし、後述説明する予備発光（ＣＡＬ発光２）がなされる。尚、前記所定位置は不図示のメカ的ストッパーにより決定される。
【００４０】
次に、以上のように構成されたストロボ撮影装置における本発明のストロボ発光シーケンスについて図４のフローチャートを用いて説明する。
【００４１】
Ｓ１０１において、ＳＴＵＰＳＷがオンされたか否かを判定する。オンと検知されたらＳ１０２へ進む。
【００４２】
Ｓ１０２では、ＳＴＵＰＳＷがオンされるとカメラマイコン１０１の指示に従って内蔵ストロボユニット２０が回動をはじめ、発光部２２がカメラ本体１から露出した位置（図３ＳＴＵＰ検知ＳＷオン位置）に到達したらＳＴＵＰ検知ＳＷ１１０の１段目がオンとなる。
【００４３】
Ｓ１０３では、ＳＴＵＰ検知ＳＷ１１０の前記オン信号をカメラマイコン１０１が受けるとカメラマイコン１０１はストロボ回路と通信し、後述説明する受光素子３１のレベル補正用のためのＣＡＬ発光１を行う。発光された光はフレネルレンズ２６・ライトガイド２６ａ及び光ファイバー２７を介して受光素子３１へ入光され、積分回路２３６へ送られる。ＣＡＬ発光１の発光量は受光素子３１が受光出来るレベルの低輝度発光で良い。好ましくはユーザーが発光に殆ど気づかない程度の発光量＝ワイヤレス通信等で使用される１／６４発光が好ましい。尚、前記ＣＡＬ発光１の発光タイミングは発光部２２がカメラ本体１から露出した位置と述べたが、これは、カメラ本体１内に発光部２２が隠れているとカメラ本体１にＣＡＬ発光１の光が反射してしまい、後述するＣＡＬ発光２との発光量差分抽出が正確に行われなくなるためである。
【００４４】
Ｓ１０４では、ＣＡＬ発光１の後内蔵ストロボユニット２０は回動を続け、ストロボ撮影位置であるＳＴアップ位置まで回動する。
【００４５】
Ｓ１０５では、内蔵ストロボユニット２０がＳＴアップ位置まで到達したか否かをＳＴＵＰ検知ＳＷ１１０の２段目がオンしたか否かで判定する。尚、本実施例ではＳＴＵＰ検知ＳＷ１１０として２段スイッチを用いることにより１個のスイッチで構成しているが、１段スイッチ２個使用としても何ら問題はない。
【００４６】
Ｓ１０６では、ＳＴＵＰ検知ＳＷ１１０の前記オン信号をカメラマイコン１０１が受けるとカメラマイコン１０１はストロボ回路と通信し、受光素子３１のレベル補正用のためのＣＡＬ発光２を行う。発光された光はフレネルレンズ２６・ライトガイド２６ａ及び光ファイバー２７を介して受光素子３１へ入光され、積分回路２３６で送られる。尚、ＣＡＬ発光２の発光量はＣＡＬ発光１の発光量と同一とする。
【００４７】
Ｓ１０７では、積分回路２３６で演算されたＣＡＬ発光１の積分値とＣＡＬ発光２での積分値との差分をカメラマイコン１０１によって演算する。
【００４８】
Ｓ１０８では、前記演算結果をもとに、受光素子３１の感度レベルに補正をかけ、ＣＡＬ発光２の積分値が結果ＣＡＬ発光１の積分値と同じになるように補正する。つまりＳＴアップ位置での光ファイバー２７と受光素子ホルダー３０ａとの距離３０ｅのバラツキ分を補正するものである。尚、カメラマイコン１０１に過去の上記差分量を記憶しておき差分量の変化量が所定値以下と判断、つまり光ファイバー２７と受光素子ホルダー３０ａとの距離３０ｅのバラツキが所定値以下と判断されれば露出量の変化も許容範囲内に収まると考えられるためＣＡＬ発光は行わないとしても良い。また、過去と類似温度環境下においては光ファイバー２７の撓み具合はほぼ同等であるため、光ファイバー２７と受光素子ホルダー３０ａとの距離３０ｅのバラツキもほぼ同じと考えられるためＣＡＬ発光は行わないとしても良い。
【００４９】
Ｓ１０９では、ストロボ発光指示、すなわちＳＷ１及びＳＷ２がオンされたか否かを判定する。オンされたと判定されるとＳ１１０へと進み公知のストロボ撮影シーケンスが開始される。
【００５０】
Ｓ１１０では、カメラマイコン１０１が定常光による被写体輝度を撮像レンズ１４を通してカメラ本体内の測光回路１０６より取得する。
【００５１】
次にＳ１１１にて、カメラマイコン１０１は、予備発光動作を行う。カメラマイコン１０１は所定発光レベルに応じて、端子ＤＡ０に所定の電圧（コンパレート電圧）を設定する。次に、端子ＴＲＩＧより発光トリガ信号を出力すると、トリガ発生回路２１１は高圧を発生してキセノン管２４を励起し、発光が開始される。キセノン管２４が発光を開始すると、受光素子３１に光電流が流れ、積分測光回路２３６の出力が上昇する。この際に受Ｓ１０８で行った受光素子３１の感度レベル補正が作用し、コンパレータ２３２の＋入力端子に設定された所定の電圧に達すると、発光制御回路２１２が遮断状態となり発光が停止される。
【００５２】
Ｓ１１２では、予備発光が終了すると予備発光で実際に発光した発光量を演算する一連の処理を行う。そして、予備発光により被写体反射光が撮像レンズ１４を通してカメラ本体内の測光回路１０６で受光されるので、カメラマイコン１０１はストロボ反射光による被写体輝度値を取得し、予備発光時の被写体輝度から定常光による被写体輝度を差し引くことにより、予備発光による反射光分のみの輝度値を抽出する。
【００５３】
Ｓ１１３では、適正露光を得るために必要な本発光量を演算し、その本発光量に対応したコンパレート電圧をコンパレータ２３２の＋入力端子に設定する。
【００５４】
Ｓ１１４では、カメラマイコン１０１は、主ミラー２及びサブミラー１０を跳ね上げて撮影光路から退避させると同時に、レンズマイコン１１２に対して絞り１５の絞り込みを指示する。
【００５５】
ステップＳ１１５では、主ミラー２及びサブミラー１０が撮影光路から退避するのを待つ。
【００５６】
Ｓ１１６では、主ミラー２及びサブミラー１０が跳ね上がるとカメラマイコン１０１は、先幕駆動マグネットＭＧ−１に通電し、フォーカルプレーンシャッタ８の開放動作を開始させる。
【００５７】
Ｓ１１７では、先幕が開放された後ストロボ本発光を行う。カメラマイコン１０１は、端子ＴＲＩＧから所定時間の間、Ｈｉを出力する。これにより、トリガ回路２１１は高圧のトリガ電圧を発生する。キセノン管２４のトリガ電極に高圧が印加されると、キセノン管２４は発光を開始する。キセノン管２４が発光を開始すると、受光素子３１に光電流が流れ、積分測光回路２３６の出力が上昇する。この際に受Ｓ１０８で行った受光素子３１の感度レベル補正が作用し、コンパレータ２３２の＋入力端子に設定された所定の電圧に達すると発光が停止される。この時点で、キセノン管２４は所定の発光量を発生して発光を停止することになり、ストロボ撮影に必要な所望の光量が得られる。本発光処理が終了し、所定のシャッタ開放時間が経過するとステップＳ１１８へ進む。
【００５８】
Ｓ１１８では、カメラマイコン１０１は、後幕駆動マグネットＭＧ−２に通電し、フォーカルプレーンシャッタ８の後幕を閉じて露出を終了する。
【００５９】
Ｓ１１９では、主ミラー２及びサブミラー２５をダウンさせ、撮影を終了する。
【００６０】
以上のように予備発光及び本発光何れにおいてもキセノン管２４からの発光光は受光素子３１に入射し積分測光回路２３６によって積分演算され、発光制御がなされている。つまり、受光素子３１への入射光がキセノン管２４の発光量が同一にも関わらずバラツキがあると露出のバラツキが生じてしまうため、受光素子３１への入射光は常に一定でなければならない。
【００６１】
本発明によれば、ＳＴＵＰ検知ＳＷ１１０オン位置においては内蔵ストロボ２０の動き初めの位置であるため、光ファイバー７は常にファーバー突き当て面３０ｂに突き当たっている。そのため、ＳＴアップ位置での光ファーバー７の受光素子ホルダー３０ａとの距離３０ｅのバラツキで生ずる受光素子３１への光量差分を抽出して受光素子３１の感度レベルに補正をかけることで発光制御性のバラツキを防止することが可能となる。尚、受光素子３１の感度レベル補正ではなく積分測光回路２３６による演算値補正で良いことは言うまでもない。
【００６２】
以上、本発明の好ましい実施形態について説明したが、本発明はこれらの実施形態に限定されず、その要旨の範囲内で種々の変形及び変更が可能である。
【符号の説明】
【００６３】
１  カメラ本体、
２０  内蔵ストロボユニット、２２  発光部、２７  光ファイバー、
３０  受光素子ユニット、３１  受光素子、１０１  カメラマイコン
【図１（ａ）】
2017083721.tif 000003
【図１（ｂ）】
2017083721.tif 000004
【図１（ｃ）】
2017083721.tif 000005
【図１（ｄ）】
2017083721.tif 000006
【図２】
2017083721.tif 000007
【図３】
2017083721.tif 000008
【図４】
2017083721.tif 000009